(57)【要約】【課題】ディスク装置の挿入口からのディスク挿入を防止する為の装置において、信頼性が高くて簡単な機構にて、２枚目のディスク挿入が防止でき、又サイズの小さなディスク（８０ｍｍディスク）、及び円形以外の異形ディスクの挿入も防止出来るディスク挿入防止装置の提供。【解決手段】挿入口２の奥には前遮蔽板４と後遮蔽板５を形成したストッパー１を揺動可能に取付け、ストッパー１を揺動させる為の揺動手段を備えている。ディスク８が装着されていない場合には後遮蔽板５を降下して挿入面６との間の隙間７からディスク８が通過しないように傾斜し、ディスク８が装着されている場合には前遮蔽板４を降下して挿入面６との間の隙間７からディスク８が通過しないように傾斜させている。そしてストッパー１にはレバー３０を揺動可能に取付け、ディスク８を挿入口２から排出した際にストッパー１が元の位置に復帰すると同時にローラー１０から突出した係止片１９に該レバー先端に形成したツメ１８が係合する。【選択図】        図１
2004348907.tif 000002
【特許請求の範囲】
【請求項１】
ディスク装置の挿入口からのディスク挿入を防止する為の装置において、挿入口の奥には前遮蔽板と後遮蔽板を形成したストッパーを揺動可能に取付け、ストッパーを揺動させる為の揺動手段を備え、ディスクが装着されていない場合には後遮蔽板を降下して挿入面との間の隙間からディスクが通過しないように傾斜し、ディスクが装着されている場合には前遮蔽板を降下して挿入面との間の隙間からディスクが通過しないように傾斜させ、そしてストッパーにはレバーを揺動可能に取付け、ディスクを挿入口から排出した際にストッパーが元の位置に復帰すると同時にローラーから突出した係止片に該レバー先端に形成したツメが係合することを特徴とするディスクの挿入防止装置。
【請求項２】
ディスク装置の挿入口からのディスク挿入を防止する為の装置において、挿入口の奥には前遮蔽板と後遮蔽板を形成したストッパーを揺動可能に取付け、挿入口の一方側には軸を中心として回動するレバーを取付けると共に、該レバーには挿入口から挿入されるディスク外周が当接するレバー片を備え、又該レバーにはストッパーから延びる傾斜板に接してストッパーを揺動させる別のレバー片を形成し、挿入口の他方側には外方向へ移動することが出来るローラーを取付け、該ローラーには傾斜板に揺動可能に取付けたレバー先端のツメに係止する係止片を設け、又ローラーからは突片を延ばし、該ローラーが外方向へ移動することで軸を中心に揺動するレバーの先端に該突片が係止可能とし、そしてレバーの先端には傾斜板の端に設けた係止片に係止するリブを設け、ディスクが装着されていない場合には後遮蔽板を降下して挿入面との間の隙間からディスクが通過しないように傾斜し、ディスクが装着されている場合には前遮蔽板を降下して挿入面との間の隙間からディスクが通過しないように傾斜させることを特徴とするディスクの挿入防止装置。
【請求項３】
上記一方側に取付けたレバーのレバー片先端にはツメを形成して傾斜板のツメに係止可能とし、又該レバー片の他に別のレバー片を設けてレバーの回動角度を規制した請求項２記載のディスクの挿入防止装置。
【請求項４】
上記ストッパーにはストッパーレバーを延ばし、ストッパーレバーの先端はスライドするスライダーに形成したカムに係合可能とした請求項２、又は請求項３記載のディスクの挿入防止装置。
【発明の詳細な説明】
【０００１】
【発明の属する技術分野】
本発明はディスク装置に誤って２枚目のディスクを挿入しないように、又異形のディスクの挿入を防止する挿入防止装置に関するものである。
【０００２】
【従来の技術】
ディスク装置はディスクをターンテーブルに装着した状態で回転しながら、情報の記録・再生が行われる訳で、上記ターンテーブルに装着する方法は色々ある。その代表的な方法は、前進・後退動するトレーに載せて装置本体へ挿入する方法であり、又ディスクを挿入口から一部挿入すると、装置内部に設けている引き込み装置によって、所定の位置まで引き込んでターンテーブルに装着する方法がある。
【０００３】
本発明が対象とするディスク挿入防止装置は、後者の方法によってターンテーブルに装着する方式（スロットイン方式）のディスク装置である。このディスク装置にはフロントパネルに細い挿入口が設けられているだけであり、内部にディスクが装着されているか否かを確かめないで、別のディスクを挿入口から挿入する場合がある。そして、動作中のディスクに挿入した別のディスクが接触して損傷する。このような誤操作が行われないように、ディスク装置には挿入防止装置が備わっている場合もある。
【０００４】
例えば、特開２００１−３３１９９９号に係る「ディスク装置」は、可動ベースの降下距離に対して、誤挿入防止部材の可動範囲を大きく出来るようにして、誤挿入防止材によって、挿入・排出部材を確実に閉鎖できるようにしている。ただし、このディスク装置ではディスクの挿入を防止するための機構が複雑であり、製作コストが高くなる。
【０００５】
又、特開２００２−１５０６５２号に係る「スロットイン式光ディスク再生装置」は、センサーを用いてディスクを判別する構造とし、規格外れの光ディスクを挿入しても取出すことが出来るように構成している。各種センサーを使用しているために、あるセンサーが故障した場合には所期の動作を行うことが出来ず、メカ式に比較して信頼性は低くなる。
【０００６】
特開平１１−１４９６８８号に係る「ディスク移送装置」は、大径ディスクのみの挿入を可能とし、小径ディスクが装置内へ挿入されることを防止している。ディスクの外周縁に接触して該ディスクを装置内へ搬入する一対のベルトを備え、ディスク挿入軌道上に小径ディスクの挿入を防止する回転可能な規制ピンを設けている。しかし、該装置は構造が複雑であって小径ディスクを誤って挿入した場合に挿入前の状態に復帰できない虞がある。又、この構造では既に挿入された状態にある装置内へ２枚目のディスク挿入を防止する手段は備わっていない。
【０００７】
特公平５−３２８２６号に係る「オートローディングディスクプレーヤ」は、大径ディスクのみを挿入可能な構造とし、上下一対のローラーと２つの検知スイッチをディスクの挿入軌道上に設けている。そして、小径ディスクが挿入された場合にローラーを停止・逆転させる制御手段と指令手段を備えている。しかし、該装置の構造も複雑であると共に電気的制御手段を採用している為にコスト高と成り、しかも誤作動や故障が多くなる。そして、２枚目のディスク挿入を防止する手段は講じられていない。
【０００８】
【発明が解決しようとする課題】
このように、従来のディスク挿入防止装置には上記のごとき問題がある。本発明が解決しようとする課題はこれら問題点であり、信頼性が高くて簡単な機構にて、２枚目のディスク挿入が防止でき、又サイズの小さなディスク（８０ｍｍディスク）、及び円形以外の異形ディスクの挿入も防止出来るディスク挿入防止装置を提供する。
【０００９】
【課題を解決する為の手段】
本発明が対象とするディスク装置は、挿入口より所定のディスクが直接挿入出来るスロットイン方式と成っている。そして該スロットイン方式を備えたディスク装置において、本発明のディスク挿入防止装置は、ディスク挿入口の奥にストッパーが揺動可能に取付けられ、該ストッパーの入口側には前遮蔽板が形成され、後側には後遮蔽板が形成さている。
【００１０】
ところで、本発明の挿入防止装置は上記ストッパーを揺動させることで、すでに装着されている状態での２枚目のディスク挿入を防止し、又サイズが小さい８０ｍｍディスク、及び円形以外の異形ディスクの挿入を拒否するように機能する。ディスク挿入面が挿入口に合わせて設けられ、ディスクがターンテーブルに装着されていない場合には、後遮蔽板が降下して挿入面との間にディスクが通過する隙間を残さない。
【００１１】
そこで、ディスクが挿入口から一部挿入されると、ディスクによって押し広げられた揺動手段によってストッパーが揺動して後遮蔽板が上昇する。そしてディスクは挿入面に沿って挿入され、ターンテーブルに装着される。ディスクがターンテーブルに装着されたならば、ストッパーはさらに揺動して前遮蔽板が降下し、挿入面との間にディスクが通過する隙間を無くす。従って、この状態で別のディスクが挿入口から挿入されることはない。
【００１２】
一方、サイズが小さいディスクを挿入口から挿入する場合、ターンテーブルにディスクが装着されていなくても、ストッパーの後遮蔽板に当ってそれ以上は挿入されない。すなわち、ディスクのサイズが小さい為に、上記揺動手段が作動することはなく、ストッパーが揺動して後遮蔽板は上昇しない。異形ディスクの場合も同じである。そして、本発明では上記揺動手段の具体的な構造は限定しないことにする。
【００１３】
ところで、ディスク装置からディスクが排出されるならば、上記ストッパーは揺動して後遮蔽板は降下して挿入面との間の隙間を無くして元の状態に戻される。本発明ではディスクが挿入口から排出された場合、ストッパーの後遮蔽板が必ず降下して挿入面との隙間が残らないような構造としている。すなわち、ストッパーには揺動するレバーを取付け、該レバー先端に形成したツメはローラー上から突出する突起片に係合し、ストッパーの揺動を防止することが出来る。以下、本発明に係る実施例を図面に基づいて詳細に説明する。
【００１４】
【実施例】
図１はディスクの挿入を防止するストッパー１の動作を示している。該ストッパー１は挿入口２の奥に取付けられて軸３を中心に揺動することが出来る。そしてストッパー１は同図に示すように、前遮蔽板４と後遮蔽板５を有した概略Ｔ型断面を成し、ストッパー１が傾くことで挿入口２から奥へ連続して延びる挿入面６との隙間７を拡大・縮小する。
【００１５】
（Ａ）はストッパー１の奥側に位置する後遮蔽板５が降下して、挿入面６との隙間７は殆ど存在しない。従って、この隙間７からは点線で示しているディスク８が通過することは出来ず、該ディスク８のターンテーブルへの装着は不可能である。
（Ｂ）はストッパー１が軸３を中心として揺動し、後遮蔽板５が上昇した場合を示している。後遮蔽板５が上昇することで前遮蔽板４は降下するが、前後遮蔽板４，５が同じ高さに位置することに成り、挿入面６との隙間７，７はディスク８が通過するには十分な大きさとなる。
（Ｃ）はストッパー１が軸３を中心にさらに揺動することで前遮蔽板４が降下し、挿入面６との隙間７は小さくなり、ディスク８は該隙間７を通過することが出来ない。
【００１６】
ところで、上記ストッパー１の揺動は挿入口２からディスク８を挿入するに際して動作するように構成されているが、以下、該ストッパー１の揺動手段の具体例を説明する。図２はディスク装置の挿入口２にディスク８が挿入される前の状態であり、この場合、ストッパー１は図１（Ａ）に示しているように、後遮蔽板５が降下して挿入面６との隙間７は殆ど無いか、又は小さく成っている。
【００１７】
そこで、図３に示すようにディスク８が挿入口２から挿入されることで、上記ストッパー１は揺動して図１（Ｂ）のように水平になる。すなわち、軸１１に軸支されている左側レバー１２を構成するレバー片２９の先端に、挿入口２から挿入するディスク８が当接する。そして左側レバー１２は軸１１を中心として時計方向に回動することで、ストッパー１が揺動して後遮蔽板５が上昇し、ディスク８がストッパー１を通過できる状態となる。
【００１８】
挿入口２の左側には第１駆動ローラー９ａと第２駆動ローラー９ｂが取付けられ、又右側には第１ローラー１０ａと第２ローラー１０ｂが回転自在に軸支され、そこで、ディスク８が挿入口２から挿入されるならば、該ディスク８は挿入口２に近い第１駆動ローラー９ａと第１ローラー１０ａに接する。ここで、第１駆動ローラー９ａは定位置に固定されてモーターで回転駆動されるが、第１ローラー１０ａ及び第２ローラー１０ｂは連結材１４（図４参照）にて連結されると共に外方向へ移動することが出来る。従って、ディスク８が挿入されることで、第１ローラー１０ａ及び第２ローラー１０ｂはディスク８の外周に押されて外方向へ移動する。
【００１９】
ところで、第１駆動ローラー９ａはモーターで回転駆動され、同時に第２駆動ローラー９ｂも連動して回転する。ディスク８が挿入口２から挿入されるならば、センサーが感知して第１駆動ローラー９ａ及び第２駆動ローラー９ｂが回転し、ディスク８を内部へ引き込むことが出来る。ディスク８は左側の駆動ローラー９ａ，９ｂと右側のローラー１０ａ，１０ｂにて挟み込まれて、ディスク装置内部のターンテーブルへ搬入される。
【００２０】
図４は右側の第１ローラー１０ａ及び第２ローラー１０ｂがガイド溝１３に沿って移動する場合を示している。ここで、２個の第１、第２ローラー１０ａ，１０ｂは連結材１４にて繋がっている。
【００２１】
図３はディスク８が挿入口２から挿入されてディスク先端はストッパー１の後遮蔽板５の近くに達している。そこで、左側レバー１２のレバー片２９にディスク８が当って押圧し、その結果、左側レバー１２は時計方向に回動して別のレバー片１５はツメ１６から離れ、ストッパー１から延びている傾斜板１７を押さえることで該ストッパー１は揺動し、前記図１（Ｂ）に示すように水平になる。
【００２２】
レバー片１５は同一高さを保って水平回動する為に、挿入口側が高くなって傾斜している傾斜板１７に当ることで該傾斜板１７は水平になると共に、ストッパー１も揺動して水平になる。ここで、左側レバー１２にはさらに別のレバー片２８を設けているが、該レバー片２８は傾斜板１７の縁に当って左側レバー１２の回動角を規制する。
【００２３】
図５は挿入口２の左側レバー１２の動作を示している場合であり、（ａ）は図１Ａの状態でストッパー１の後遮蔽板５は降下し、（ｂ）は図１Ｂの状態でストッパー１は水平状態にある。レバー片２９の先端に挿入するディスク８が当るならば、軸１１を中心として時計方向に回転し、同時にレバー片１５も回転する。その結果、ストッパー１の傾斜板１７に接して該傾斜板１７は（ｂ）のように水平状態となる。該左側レバー１２は、レバー片１５の先端が傾斜板１７の縁に起立しているツメ１６に係止し、又レバー片２８が傾斜板１７の縁に当ることで回転角度が規制される。
【００２４】
この場合、ディスク８は第１駆動ローラー９ａにも当たっているが、右側の第１ローラー１０ａにディスク８が当ることで、該第１ローラー１０ａ及び第２ローラー１０ｂは右側（外方向）へ移動して、上記傾斜板１７に取付けているレバー先端のツメ１８が解除される。すなわち、図２に示すように、第２ローラー１０ｂに設けている係止片１９はツメ１８に係止している為に、この状態では上記左側レバー１２のレバー片１５が回動しても傾斜板１７を押圧してストッパー１を揺動させることは出来ない。
【００２５】
図６はディスク８がストッパー１を通過してディスク装置に約２／３挿入された状態である。この状態では、ストッパー１は前記図１の（Ｂ）のように水平に位置し、ディスク８は挿入面６と前後遮蔽板４，５との間の隙間７，７を通過することが出来る。ただし、ディスク８がストッパー１に接しないで隙間７，７を通過できるように、該ストッパー１は位置決めされている。
【００２６】
第２ローラー１０ｂには突片２０が外方向へ延び、ディスク８に押されて第２ローラー１０ｂが右方向へ移動するならば、上記突片２０はレバー２１の先端に形成している凹部に嵌って係合する。そして第２ローラー１０ｂがさらに右方向へ移動するならば、係止片１９がツメ１８から外れると同時に、レバー２１は軸２２を中心として反時計方向に揺動し、該レバー２１の先端部に設けているリブ２３が傾斜板１７の右端に形成している係止片２４に係止する。すなわち、リブ２３は係止片２４の下側に位置することになり、ストッパー１が前記図１の（Ａ）の状態に戻ることはない。（図２〜図６を参照）
【００２７】
そして図６に示す状態からディスク８が挿入口２及びストッパー１を通過してディスク装置内のターンテーブルに装着される。この状態からは、第１駆動ローラー９ａ及び第２駆動ローラー９ｂ、それに第１ローラー１０ａ及び第２ローラー１０ｂの４個のローラーによって挟まれた状態で、上記第１、第２駆動ローラー９ａ，９ｂが回転駆動するならば、ディスク８は独りで搬入される。そして図７に示すように所定の位置に達してターンテーブルに装着されたならば、ストッパー１は前記図１の（Ｃ）の状態に傾斜し、挿入口２を閉鎖する。ディスク装置にはスライダー２５が設けられ（図１参照）、該スライダー２５はディスク８がターンテーブルに装着されたならば、図１（Ｃ）に示すように奥側へスライドする。
【００２８】
スライダー２５にはカム２６が形成され、該カム２６にはストッパーレバー２７の先端が係合し、該ストッパーレバー２７は軸３を中心として傾き、その結果、ストッパー１は揺動して（Ｃ）に示すように挿入口２を閉じることになる。そして、ディスク８がターンテーブルから離脱して挿入口２から排出されるならば、スライダー２５は挿入口側へスライドして戻され、第１、第２ローラー１０ａ，１０ｂは左側（中央側）へ移動し、又左側レバー１２は反時計方向に回動し、その結果、ストッパー１は図１（Ｂ）の状態から、（Ａ）の状態に戻される。
【００２９】
ここで、元の位置及び元の状態に戻る為に、左側レバー１２にはバネが備わり、同じく第１、第２ローラー１０ａ，１０ｂにもバネ力が付勢されている。そしてストッパー１にもバネが備わっている為に、図１（Ａ）の初期状態にバネ力にて戻される。
【００３０】
本発明はターンテーブルにディスクが装着されている状態では、図１（Ｃ）のようにストッパー１にて挿入口２が閉鎖される為に、２枚目のディスク８は該挿入口から挿入されることはない。一方、本発明は小サイズ（８０ｍｍ）のディスク及び円形以外の異形ディスクも挿入口２から挿入されてターンテーブルに装着されない構造となっている。勿論、小サイズディスクであっても、ディスクアダプターに取付けて挿入することは可能である。
【００３１】
ディスクアダプターに取付けないで小さなディスクをそのまま挿入口２から挿入しても、ストッパー１に当って遮断される。図１において、ディスク８がターンテーブルに装着されていない状態ではストッパー１は（Ａ）のように傾斜して、後遮蔽板５が降下して挿入面６との間の隙間７は無く、該ディスクは通過することが出来ない。
【００３２】
大きな１２０ｍｍディスク８であるならば、上記のように説明した通りストッパー１が揺動して図１（Ｂ）のようになるが、小さなディスクであるならば該ストッパー１を揺動する為の揺動手段が動作することはない。すなわち、ディスクが小さい為に、左側レバー１２のレバー片２９と第１ローラー１０ａに同時に当接して左側レバー１２を時計方向に回動し、同時に第１ローラー１０ａ及び第２ローラー１０ｂを右方向（外方向）へ移動することが出来ない。
【００３３】
例えば、小さなディスクが左側へ寄って挿入口２から挿入されることでレバー片２９に当って、左側レバー１２を時計方向に回動させようとしても、第１ローラー１０ａに当接しない為に、該第１ローラー１０ａ及び第２ローラー１０ｂを外方向へ移動することは出来ない。従って、第２ローラー１０ｂに設けている係止片１９が傾斜板１７に取付けたレバー先端のツメ１８から外れることができない為に、ストッパー１は揺動しない。
【００３４】
逆に、小さなディスクが右側へ寄って挿入口２から挿入された場合、ディスクは第１ローラー１０ａに当って第１ローラー１０ａ及び第２ローラー１０ｂを外方向（右方向）へ移動し、係止片１９はツメ１８から離脱することが出来る。しかし、左側レバー１２のレバー片２９に接しない為に該左側レバー１２を時計方向に回動することは出来ない。従って、傾斜板１７及びストッパー１は揺動して図１（Ｂ）のような水平状態とはならない。
【００３５】
ところで、ディスク８を挿入口２から取出した場合、ストッパー１は前記図１（Ａ）に示す状態に復帰しなくてはならない。すなわち、ストッパー１の後遮蔽板５が降下して挿入面６との間に隙間７が残らないようにする必要がある。図８はストッパー１の復帰構造を示している具体例であり、ディスク８が後退して挿入口２から排出されるならば、第１ローラー１０ａ及び第２ローラー１０ｂは挿入口側（中央側）へ移動し、同時にストッパー１が揺動して後遮蔽板５が降下する。
【００３６】
ストッパー１の両側へ延びる傾斜板１７にはレバー３０が軸３１を中心として揺動可能に取付けられ、レバー先端にはツメ１８が形成されている。そして該ツメ１８は係止片１９と図８（ｂ）に示すように係合して、ストッパー１の揺動を阻止するように機能する。ディスク８の後退（排出動作）に伴って第２ローラー１０ｂは挿入口側へ移動し、同時にストッパー１も揺動するが、両者のタイミングは微妙にズレる。しかし、本発明では、第２ローラー１０ｂから突出した係止片１９に係合するツメ１８は揺動レバー３０の先端に形成されている為に、両者のタイミングにズレが発生しても該ツメ１８は係止片１９に係合することが出来る。
【００３７】
ところで、本発明は前遮蔽板４と後遮蔽板５を形成した概略Ｔ断面のストッパー１を揺動させることで、ディスクの挿入を許容することが出来、又小さな８０ｍｍディスク及び異形ディスクの挿入を防止することが出来るようにしたものであるが、該ストッパー１を揺動させる揺動手段は限定しないことにする。揺動手段を説明した実施例はあくまでも１具体例に過ぎない。
【００３８】
以上述べたように、本発明のディスク挿入防止装置は、前遮蔽板と後遮蔽板を供えたストッパーを揺動手段を用いて揺動可能にしたものであり、次のような効果を得ることが出来る。
【００３９】
【発明の効果】
本発明のディスク挿入防止装置は挿入口の奥にストッパーを揺動可能に取付けていて、概略Ｔ型断面のストッパーに形成している前遮蔽板と後遮蔽板に当ってディスクの挿入が阻止される。ターンテーブルにディスクが装着されている場合には、前遮蔽板が降下して挿入口を閉鎖し、別のディスクが挿入することは出来ない。従って、装着されているディスクに接して、該ディスクが損傷することはない。
【００４０】
ディスクがターンテーブルに装着されていない場合には、後遮蔽板が降下した状態にあるが、ディスクが挿入口から挿入される場合には、挿入口付近に設けている揺動手段が作動してストッパーが揺動し、後遮蔽板が上昇してディスクはストッパーを通過してターンテーブルに装着される。しかし、８０ｍｍの小さなディスク及び異形ディスクの場合には、揺動手段が作動しない為に装着することは出来ない。
【００４１】
そして、ディスクを挿入口から取出すと同時にストッパーは揺動して元の状態に復帰するが、該ストッパーに揺動可能に取付けたレバー先端のツメがディスク搬入ローラーの係止片に係合することが出来、小径ディスクや異形ディスクを挿入しても該ストッパーは揺動しないように成っている。このように、本発明は概略Ｔ型断面のストッパーを揺動可能に取付けていることで、ディスクの挿入を防止すると共に、小さなディスク及び異形ディスクの挿入を阻止することが可能となる。
【００４２】
一方、本発明に係る装置はディスクの挿入を防止するストッパーの動作をメカ式で行う為に、機器に電源が入っていない状態でも該ディスクの挿入を確実に防止することが出来る。又、ディスクの挿入途中において停電などにより電源が遮断された場合であっても、ストッパーが誤動作を起すことなく対処することが可能である。
【図面の簡単な説明】
【図１】ディスクの挿入に伴うストッパーの動作。
【図２】ディスクが挿入口から挿入される前の搬入装置。
【図３】ディスクが挿入口から一部挿入された状態の搬入装置。
【図４】挿入口の右側搬入ローラーの動き。
【図５】左側レバーとストッパーに形成している傾斜板との関係。
【図６】ディスクが約２／３挿入された場合の搬入装置。
【図７】ディスクがターンテーブルに装着され得る位置に搬入された場合。
【図８】ストッパーに取付けたレバーとローラーに設けている係止片との関係。
【符号の説明】
１  ストッパー
２  挿入口
３  軸
４  前遮蔽板
５  後遮蔽板
６  挿入面
７  隙間
８  ディスク
９  駆動ローラー
１０  ローラー
１１  軸
１２  左側レバー
１３  ガイド溝
１４  連結材
１５  レバー片
１６  ツメ
１７  傾斜板
１８  ツメ
１９  係止片
２０  突片
２１  レバー
２２  軸
２３  リブ
２４  係止片
２５  スライダー
２６  カム
２７  ストッパーレバー
２８  レバー片
２９  レバー片
３０  レバー
３１  軸
【図１】
2004348907.tif 000003
【図２】
2004348907.tif 000004
【図３】
2004348907.tif 000005
【図４】
2004348907.tif 000006
【図５】
2004348907.tif 000007
【図６】
2004348907.tif 000008
【図７】
2004348907.tif 000009
【図８】
2004348907.tif 000010